(57)【要約】【課題】白黒またはセピアを選択した場合ホワイトバランスのブラケッティングの設定を、逆にホワイトバランスのブラケッティングを設定した場合、白黒およびセピアの選択を禁止することによりカード書き込みによる容量の無駄と処理時間の遅延を防止できるディジタルカメラを提供する。【解決手段】撮影モードに切り替えられている場合、メニューボタンを押すことにより、メニュー画面が表示される。セレクトボタン４を操作することにより、カラーモードについて白黒を選択したとする。システムコントローラのホワイトバランスブラケット禁止処理制御部２５ａはホワイトバランスのブラケットについてＯＮ操作できないように排他的処理を施す。これにより、白黒やセピアを選択したときの無駄な設定を回避でき、処理の遅延防止と、メモリカードへの無駄な書き込みを防止できる。【選択図】　　　　図２
2004056709.tif 000002
【特許請求の範囲】
【請求項１】
カラーモードとして白黒またはセピアを選択できる手段およびホワイトバランスのブラケットを選択できる手段を有するディジタルカメラにおいて、
前記カーラモードで白黒またはセピアを選択したとき、ホワイトバランスブラケット禁止処理を行うホワイトバランスブラケット禁止処理手段を有することを特徴とするディジタルカメラ。
【請求項２】
カラーモードとして白黒またはセピアを選択できる手段およびホワイトバランスのブラケットを選択できる手段を有するディジタルカメラにおいて、
前記ホワイトバランスブラケットを選択したとき、白黒またはセピアの禁止処理を行うカラーモード禁止処理手段を有することを特徴とするディジタルカメラ。
【発明の詳細な説明】
【０００１】
【発明の属する技術分野】
本発明は、カラーモードとして白黒やセピアを選択できるとともに、ホワイトバランスブラケット設定も可能なディジタルカメラに関する。
【０００２】
【従来の技術】
カメラ撮影モードとしては露出補正などの種々のモードを備えており、例えば、１回のレリーズ操作で、それぞれ露出値が異なる３駒撮影を可能とするブラッケティングモードなどがある。
ディジタルカメラにおいては、その特質からカラーモードとして白黒やセピアを選択できるモードやホワイトバランスをブラケッティング撮影するモードが存在する。
【０００３】
【発明が解決しようとする課題】
そのため、例えばカラーモードを白黒に設定してホワイトバランスブラケッティングを行った場合、同一の絵が３駒撮影されることとなる。かかる場合にはホワイトバランスブラケッティングは意味をなさなくなる。
したがって、画像を取り込んだ後の処理は、同じ絵にも係わらず、３駒分の処理が行われてメモリカードに書き込まれるため、処理時間がかかり、カード容量に無駄が生じるという欠点があった。
【０００４】
本発明の目的は、カラーモードとしてカラー，白黒などを選択できる手段およびホワイトバランスのブラケッティングを選択できる手段を有するディジタルカメラにおいて、白黒またはセピアを設定した場合ホワイトバランスのブラケッティングの設定を、逆にホワイトバランスのブラケッティングを設定した場合、白黒，セピアの設定を禁止することによりメモリカードへの無駄な書き込みと処理時間の遅延を防止できるディジタルカメラを提供することにある。
【０００５】
【課題を解決するための手段】
前記目的を達成するために本発明によるディジタルカメラは、カラーモードとして白黒またはセピアを選択できる手段およびホワイトバランスのブラケットを選択できる手段を有するディジタルカメラにおいて、前記カーラモードで白黒またはセピアを選択したとき、ホワイトバランスブラケット禁止処理を行うホワイトバランスブラケット禁止処理手段を備えている。
また、本発明は、カラーモードとして白黒またはセピアを選択できる手段およびホワイトバランスのブラケットを選択できる手段を有するディジタルカメラにおいて、前記ホワイトバランスブラケットを選択したとき、白黒またはセピアの禁止処理を行うカラーモード禁止処理手段を備えている。
【０００６】
【発明の実施の形態】
以下、図面を参照して本発明の実施の形態を詳しく説明する。
図１は、本発明によるディジタルカメラの実施の形態を示す外観図で、（ａ）は平面図，（ｂ）は背面図である。
ディジタルカメラ１の上面にはメインスイッチ１１およびレリーズボタン１０が配置されている。背面中央には決定ボタン５，決定ボタン周囲にセレクトボタン４が配置されている。また、背面左側には液晶表示部６が設けられ、背面上部には撮影モード，再生モード，セットアップモードを切り替えるモード切替レバー２，その右側にはズームボタン９が配置されている。背面の下部にはディスプレイを表示したり、消したりするディスプレイボタン７および液晶表示部６にメニューを表示させるメニューボタン３が設置されている。
本発明におけるカラーモード選択およびホワイトバランスのブラケッティング設定は、撮影モードにおいてメニュー画面から選択することとなる。
【０００７】
図２は、本発明によるディジタルカメラの回路の実施の形態を示すブロック図である。
被写体からの反射光は、レンズ１５を介してＣＣＤ１６上に結像され、光電変換される。光電変換された信号は、アナログ処理回路１８で増幅された後、サンプリング，Ａ／Ｄ変換され画像信号処理部２７に送られる。画像信号処理部２７は、撮影した信号を一時的にメモリ部１９に蓄積し、該蓄積した画像を読み出して所定の画像形式に変換処理した後、カードインタフェース２１を介してメモリカード２２に保存する。また、画像信号処理部２７では取り込んだ画像が表示可能なように処理され、処理された画像はモニタドライバ２３を介してＬＣＤモニタ６に表示される。
【０００８】
システムコントローラ２５は、キー入力部２８からのキー入力信号を監視しており、モード切替レバー２，メニューボタン３，セレクトボタン４，決定ボタン５からの信号を検知し、キー入力信号に対応した制御を行う。
システムコントローラ２５は、カメラ全体の制御を司り、撮影，再生に関する制御を行う。ホワイトバランスブラケット禁止処理を行うホワイトバランスブラケット禁止処理制御部２５ａおよびカラーモード禁止処理を行うカラーモード禁止処理制御部２５ｂの機能はシステムコントローラ２５によって実現される。
【０００９】
図３は、カラーモードを白黒に設定する場合の液晶モニタの表示例を示す図である。
メインスイッチ１１をＯＮしたとき、モード切替レバー２が撮影モードになっていれば、システムコントローラ２５は、画像信号処理部２７に信号を送出しモニタドライバ２３を介してＬＣＤモニタ６に撮影モードのメニュー画面を表示させる。撮影モードになっていない場合にはモード切替レバー２を切り替えることとなる。
メニュー画面の一例を図３（ａ）に示す。セレクトボタン４ｂ，４ｄを操作することによってカラーモード，ＷＢ／ＢＫＴ，サイズ，露出補正のいずれかを選択することができる。さらにセレクトボタン４ａ，４ｃによりカラー，白黒，セピアのいずれかを選択することができる。
この例ではカラーモードについて白黒が選択された状態である。決定ボタン５が押されるとそのモードが確定する。
【００１０】
システムコントローラ２５のホワイトバランスブラケット禁止処理制御部２５ａは、ユーザがホワイトバランスブラケットの選択位置にカーソルを移動させた場合、白黒確定に基づきホワイトバランスブラケットＯＮを選択不能とするように制御する。これにより白黒で撮影する場合、３枚とも同じ画像となるホワイトバランスブラケットの機能を禁止する。図３（ｂ）にホワイトバランスブラケットＯＮが禁止された状態を示す。
セピアを選択された場合にも同様にホワイトバランスブラケットの機能を禁止する。図５（ａ）に、このように操作する場合のフローチャートを示す。
【００１１】
図４は、ホワイトバランスブラケットに設定する場合の液晶モニタの表示例を示す図である。
メインスイッチ１１をＯＮしたとき、モード切替レバー２が撮影モードになっていれば、システムコントローラ２５は、画像信号処理部２７に信号を送出しモニタドライバ２３を介してＬＣＤモニタ６に撮影モードのメニュー画面を表示させる。
【００１２】
メニュー画面の一例を図４（ａ）に示す。この例はセレクトボタンによってホワイトバランスブラケットＯＮが選択されている状態である。
決定ボタン５が押され、確定すると、システムコントローラ２５のカラーモード禁止処理制御部２５ｂは、ホワイトバランスブラケット確定に基づき、カーソルをカラーモードを選択位置に移動した場合、ＯＮを選択不能とするように制御する。これによりホワイトバランスブラケットで撮影する場合には、白黒およびセピアの機能を禁止する。図４（ｂ）にカラーモードのＯＮが禁止された状態を示す。
また、図５（ｂ）にホワイトバランスブラケット設定のフローチャートを示す。
【００１３】
【発明の効果】
以上、説明したように本発明は、カラーモードとして白黒またはセピアが選択でき、またホワイトバランスブラケッティング（ＡＢＣ）を行っても、白黒・セピア色の時は輝度（Ｙ）信号のみで色差信号は固定であり変化しないため、逆にホワイトバランスブランケッティングを選択した場合、白黒・セピア色の選択は無駄となるため、一方が選択された場合、他方の使用を禁止するものである。
したがって、カラーモードとして白黒またはセピアが選択された場合、ホワイトバランスブラケッティング選択を不能とし、従来問題となっていた処理の遅延およびカードメモリの無駄な使用をなくすことができるという効果がある。
【図面の簡単な説明】
【図１】本発明によるディジタルカメラの実施の形態を示す外観図で、（ａ）は平面図，（ｂ）は背面図である。
【図２】本発明によるディジタルカメラの回路の実施の形態を示すブロック図である。
【図３】カラーモードを白黒に設定する場合の液晶モニタの表示例を示す図である。
【図４】ホワイトバランスブラケットに設定する場合の液晶モニタの表示例を示す図である。
【図５】カラーモード選択およびホワイトバランスブラケット設定の動作を説明するためのフローチャートである。
【符号の説明】
１　ディジタルカメラ
２　モード切替レバー
３　メニューボタン
４　セレクトボタン
５　決定ボタン
６　液晶表示部（ＬＣＤモニタ）
７　ディスプレイボタン
８　接眼部
９　ズームボタン
１０　レリーズボタン
１１　メインスイッチ
１２　フラッシュユニット
１５　レンズ
１６　ＣＣＤ
１７　ＣＣＤ駆動回路
１８　アナログ処理回路
１９　メモリ部
２０　外部インタフェース
２１　カードインタフェース
２２　メモリカード
２３　モニタドライバ
２５　システムコントローラ
２５ａ　ホワイトバランスブラケット禁止処理制御部
２５ｂ　カラーモード禁止処理制御部
２６　測光・調光部
２７　画像信号処理部
２８　キー入力部
２９　外部ＬＥＤ表示部
３０　電源部
【図１】
2004056709.tif 000003
【図２】
2004056709.tif 000004
【図３】
2004056709.tif 000005
【図４】
2004056709.tif 000006
【図５】
2004056709.tif 000007